(57)【特許請求の範囲】
【請求項１】
搬送経路に沿って複数枚の原稿を間隔を空けて順次搬送する搬送部と、
前記搬送経路上の第１読取位置に向けて光を出射する第１光源を有し、前記第１光源が出射した光の反射光を受光することで前記原稿の一方の面を読み取る第１読取部と、
前記搬送経路上の前記第１読取位置よりも前記間隔より短い距離を空けて搬送方向下流に位置する第２読取位置に向けて光を出射する第２光源を有し、前記第２光源が出射した光の反射光を受光することで前記原稿の他方の面を読み取る第２読取部と、
制御部と、
を備え、
前記制御部は、
前記第１読取部に対して、前記第１光源を第１読取用光量で出射させ、前記第１読取位置を通過する前記原稿の一方の面を読み取らせる第１読取処理と、
前記第２読取部に対して、前記第２光源を第２読取用光量で出射させ、前記第２読取位置を通過する前記原稿の他方の面を読み取らせる第２読取処理と、
前記第１読取部に対して、前記第１読取位置に搬送された前記原稿が前記第１読取位置を通過した際に、前記原稿の一方の面の読み取りを終了させ、前記第１光源を前記第１読取用光量よりも小さい前記第１読取部の第１原稿間用光量で出射させる第１待機処理と、
前記第２読取部に対して、前記第２読取位置に搬送された前記原稿が前記第２読取位置を通過した際に、前記原稿の他方の面の読み取りを終了させ、前記第２光源の光量を前記第２読取用光量よりも小さくさせる第２待機処理と、
前記第１読取部および前記第２読取部に対して、前記搬送部によって搬送される次の原稿が前記第1読取位置に搬送されたときに、前記第1光源を前記第1読取用光量で出射させ、前記第２光源を前記第２読取用光量で出射させる出射処理と、
を実行することを特徴とする画像読取装置。
【請求項２】
前記第２待機処理は、前記第２読取位置に搬送された前記原稿が前記第２読取位置を通過した際に、前記原稿の他方の面の読み取りを終了させ、前記第２光源を前記第２読取用光量よりも小さい第２原稿間用光量で出射させることを特徴とする請求項１に記載の画像読取装置。
【請求項３】
前記第２待機処理は、前記第２読取位置に搬送された前記原稿が前記第２読取位置を通過した際に、前記原稿の他方の面の読み取りを終了させ、前記第２光源を消灯させることを特徴とする請求項１に記載の画像読取装置。
【発明の詳細な説明】
【技術分野】
【０００１】
本明細書に開示される発明は、光源を用いて原稿を読み取る画像読取装置において、複数枚の原稿を間隔を空けて順次読み取る際に、原稿と原稿の間において光源の光量を制御する技術に関する。
【背景技術】
【０００２】
従来から、光源を用いて原稿を読み取る画像読取装置を用いて複数枚の原稿を間隔を空けて順次読み取る際に、原稿を読み取る読取期間と次の原稿を読み取る読取期間の間の原稿を読み取らない原稿間期間において、光源の光量を制御する技術が知られている。例えば、原稿間期間において光源を原稿の読み取り時と同一の光量で点灯させ続ける技術（特許文献１）が開示されており、原稿間期間において光源を消灯させる技術（特許文献２）が開示されている。
【先行技術文献】
【特許文献】
【０００３】
【特許文献１】特開２００２−１３５５３０号公報
【特許文献２】特開２００５−１１０１７２号公報
【発明の概要】
【発明が解決しようとする課題】
【０００４】
しかし、上記の技術には、各々問題点を有していた。例えば、原稿間期間において光源を読取期間と同一の光量で点灯させ続けると、光源の温度が上昇してしまう。そのため、一定の電流や電圧を加えているにも関わらず、光源の温度上昇により光源の光量が減少してしまい、原稿を読み取った読取画像の画質が低下してしまう問題が生じていた。また、原稿間期間において光源を消灯させると、次の原稿を読み取る読取期間において光源を再度点灯させたとしても、光源の光量を安定させるのに時間がかかることがある。そのため、光量が安定する前に原稿が読み取られると、読取画像の画質が低下してしまう問題が生じていた。
【０００５】
本明細書に開示される発明は、読取画像の画質の低下を抑制する技術を開示する。
【課題を解決するための手段】
【０００６】
本明細書によって開示される画像読取装置は、搬送経路に沿って複数枚の原稿を間隔を空けて順次搬送する搬送部と、前記搬送経路上の読取位置に向けて光を出射する光源を有し、前記光源が出射した光の反射光を受光することで前記原稿を読み取る読取部と、制御部と、を備え、前記制御部は、前記読取部に対して、前記光源を読取用光量で出射させ、前記読取位置を通過する前記原稿を読み取らせる読取処理と、前記原稿の読取処理を終了後、前記搬送部によって搬送される次の原稿の読取処理が開始されるまでの間、前記光源を前記読取用光量よりも小さい原稿間用光量で出射させる待機処理と、を実行する。
【０００７】
この画像読取装置では、制御部は、待機処理において、読取部の光源の光量を読取用光量よりも小さい原稿間用光量で出射させる。待機処理において光源の光量を読取用光量よりも小さく設定するので、光源の光量を読取用光量に維持する場合に比べて光源の温度上昇が抑制され、光源の温度上昇により光源の光量が低下することを抑制することができる。また、待機処理において光源を出射し続けるので、待機処理後、次の原稿が基準位置に搬送され、読取処理において再び光源の光量を読取用光量とする際に、光源を消灯させる場合に比べて光源の光量が安定するまでの時間を短縮することができる。この画像読取装置によれば、光源の光量の低下が抑制され、光源の光量の安定までの時間が短縮されることで、読取画像の画質の低下を抑制することができる。
【０００８】
この画像読取装置では、前記制御部は、前記原稿が前記読取位置よりも上流側の前記搬送経路上の位置あるいは前記読取位置のいずれかに設定された基準位置に搬送された際に、前記読取処理を開始するとともに前記読取部に前記光源を読取用光量で出射するように指示し、前記原稿が前記読取位置を通過する間、前記読取部を用いて前記原稿を読み取らせ、前記読取位置に搬送された前記原稿が前記読取位置を通過した際に、前記待機処理を開始するとともに前記原稿の読み取りを終了させ、前記読取部に前記光源を前記原稿間用光量で出射するように指示し、前記搬送部によって搬送される次の原稿が前記基準位置に搬送されるまでの間、前記光源を前記原稿間用光量で出射させる構成としても良い。この画像読取装置によれば、搬送部によって搬送される原稿の位置によって、読取処理と待機処理とを切り替えることができる。
【０００９】
この画像読取装置では、前記読取部は、前記搬送経路上に設けられ、前記搬送部によって搬送される前記原稿の一方の面を第１読取位置で読み取る第１読取部と、前記搬送経路上に設けられ、前記搬送部によって搬送される前記原稿の他方の面を前記第１読取位置よりも下流側の第２読取位置で読み取る第２読取部と、を有し、前記制御部は、前記第１読取部と前記第２読取部とを用いて前記原稿を読み取らせ、前記待機処理において、前記第１読取部と前記第２読取部の少なくとも一方に対して、該読取部の読取位置に搬送された前記原稿が該読取部の読取位置を通過した際に、前記原稿の読み取りを終了させ、該読取部に該読取部の光源を該読取部の読取用光量よりも小さい該読取部の原稿間用光量で出射するように指示し、前記搬送部によって搬送される次の原稿が該読取部の基準位置に搬送されるまでの間、該読取部の光源を該読取部の原稿間用光量で出射させる構成としても良い。
【００１０】
この画像読取装置によれば、読取部が有する第１読取部と第２読取部の少なくとも一方に対して、待機処理において、光源の温度上昇により光源の光量が低下することを抑制することができ、待機処理後に読取処理を再開する際に、光源の光量が安定するまでの時間を短縮することができる。
【００１１】
この画像読取装置では、前記制御部は、前記待機処理において、前記第１読取部に対して、前記第１読取位置に搬送された前記原稿が前記第１読取位置を通過した際に、前記原稿の読み取りを終了させ、前記第１読取部に前記第１読取部の光源を前記第１読取部の読取用光量よりも小さい前記第１読取部の原稿間用光量で出射するように指示し、前記搬送部によって搬送される次の原稿が前記第１読取部の基準位置に搬送されるまでの間、前記光源を前記第１読取部の原稿間用光量で出射させ、前記第２読取部に対して、前記第２読取位置に搬送された前記原稿が前記第２読取位置を通過した際に、前記原稿の読み取りを終了させ、前記第２読取部に前記第２読取部の光源を前記第２読取部の読取用光量よりも小さい前記第２読取部の原稿間用光量で出射するように指示し、前記搬送部によって搬送される次の原稿が前記第２読取部の基準位置に搬送されるまでの間、前記光源を前記第２読取部の原稿間用光量で出射させる構成としても良い。
【００１２】
この画像読取装置によれば、読取部が有する第１読取部と第２読取部のいずれもに対して、待機処理において、光源の温度上昇により光源の光量が低下することを抑制することができ、待機処理後に読取処理を再開する際に、光源の光量が安定するまでの時間を短縮することができる。
【００１３】
この画像読取装置では、制御部は、前記第１読取部を用いて前記原稿を読み取る片面読取モードと、前記第１読取部と前記第２読取部とを用いて前記原稿を読み取る両面読取モードとを切り替えており、前記両面読取モードの前記待機処理において、前記第１読取部に対して、前記第１読取位置に搬送された前記原稿が前記第１読取位置を通過した際に、前記原稿の読み取りを終了させ、前記第１読取部に前記第１読取部の光源を消灯するように指示し、前記搬送部によって搬送される次の原稿が前記第１読取部の基準位置に搬送されるまでの間、前記光源を消灯させ、前記第２読取部に対して、前記第２読取位置に搬送された前記原稿が前記第２読取位置を通過した際に、前記原稿の読み取りを終了させ、前記第２読取部に前記第２読取部の光源を前記第２読取部の読取用光量よりも小さい前記第２読取部の原稿間用光量で出射するように指示し、前記搬送部によって搬送される次の原稿が前記第２読取部の基準位置に搬送されるまでの間、前記光源を前記第２読取部の原稿間用光量で出射させる構成としても良い。
【００１４】
この画像読取装置によれば、両面読取モードにおいてのみ用いられる第２読取部に対して、待機処理において、光源の温度上昇により光源の光量が低下することを抑制することができ、待機処理後に読取処理を再開する際に、光源の光量が安定するまでの時間を短縮することができる。また、片面読取モード及び両面読取モードのいずれにおいても用いられる第１読取部に対して、両面読取モードの待機処理において、第１読取部の光源を消灯するようにするので、光源を点灯させ続ける場合に比べて光源の劣化の進行を抑制することができる。
【００１５】
この画像読取装置では、前記制御部は、前記待機処理において、前記第１読取部に対して、前記第１読取位置に搬送された前記原稿が前記第１読取位置を通過した際に、前記原稿の読み取りを終了させ、前記第１読取部に前記第１読取部の光源を前記第１読取部の読取用光量よりも小さい前記第１読取部の原稿間用光量で出射するように指示し、前記搬送部によって搬送される次の原稿が前記第１読取部の基準位置に搬送されるまでの間、前記光源を前記第１読取部の原稿間用光量で出射させ、前記第２読取部に対して、前記第２読取位置に搬送された前記原稿が前記第２読取位置を通過した際に、前記原稿の読み取りを終了させ、前記第２読取部に前記光源を消灯するように指示し、前記搬送部によって搬送される次の原稿が前記第２読取部の基準位置に搬送されるまでの間、前記光源を消灯させ、前記第２読取部の基準位置は、前記第１読取部の基準位置と等しい構成としても良い。
【００１６】
この画像読取装置によれば、読取部の第１読取部に対して、待機処理において、光源の温度上昇により光源の光量が低下することを抑制することができ、待機処理後に読取処理を再開する際に、光源の光量が安定するまでの時間を短縮することができる。また、第２読取部の基準位置は、第２読取部の第２読取位置よりも上流側に位置する第１読取部の基準位置と等しい。そのため、待機処理において第２読取部の光源を消灯するようにしても、待機処理後に読取処理を再開する際に、原稿が第２読取部の基準位置に搬送されてから当該原稿が第２読取部の読取位置に搬送されるまでに第２読取部の光源を安定させることができる。待機処理において、第２読取部の光源を消灯することで、光源を点灯させ続ける場合に比べて光源の劣化の進行を抑制することができる。
【００１７】
この画像読取装置では、更に、前記搬送経路上に設けられ、前記搬送部によって搬送される前記原稿が前記読取位置よりも上流側の検出位置に搬送されたか否かを検出する検出部を備え、前記基準位置は、前記検出位置から前記読取位置までの間の位置に設定される構成としても良い。この画像読取装置によれば、検出部を用いて、原稿が読取位置に搬送されるまでに読取部に光源を読取用光量で出射するように指示することができる。
【００１８】
この画像読取装置では、前記第１読取部の基準位置及び前記第２読取部の基準位置は、前記第１読取部の読取位置に等しい構成としても良い。この画像読取装置によれば、読取部が有する第１読取部と第２読取部において別々の基準位置を読取位置と異なる位置に設定する必要がなく、制御部における制御を簡略化することができる。
【発明の効果】
【００１９】
本明細書に開示される発明によれば、読取画像の画質の低下を抑制することができる。
【図面の簡単な説明】
【００２０】
【図１】画像読取装置の断面図
【図２】画像読取装置のブロック図
【図３】第１電流調整回路と第１読取部の光源との接続を示す回路図
【図４】点灯制御処理を示すフローチャート
【図５】参考例の点灯制御処理における電流値の変化を示すタイムチャート
【図６】実施形態１の点灯制御処理における電流値の変化を示すタイムチャート
【図７】実施形態２の点灯制御処理における電流値の変化を示すタイムチャート
【図８】実施形態３の点灯制御処理における電流値の変化を示すタイムチャート
【発明を実施するための形態】
【００２１】
＜参考例＞
参考例を、図１ないし図５を用いて説明する。
【００２２】
１．画像読取装置の構成
図１に示すように、画像読取装置１は、複数のローラから構成されている搬送ローラ２３を用いて、給紙トレイ２に載置された複数の原稿Ｍを、間隔Ｗを空けて搬送経路２２に沿って排紙トレイ４まで順次搬送するとともに、搬送中の原稿Ｍを読取部２４を用いて読み取るシートフィードスキャナである。搬送ローラ２３は、搬送部の一例である。以降の説明において、搬送経路２２に沿って給紙トレイ２から排紙トレイ４に向かう方向を搬送方向Ｄ１とする。
【００２３】
画像読取装置１の本体部３には、搬送経路２２の周辺に、搬送ローラ２３の他、給紙ローラ２０、分離パッド２１、読取部２４、フロントセンサ（以下、Ｆセンサ）２６、リアセンサ（以下、Ｒセンサ）２７等を備える。Ｒセンサ２７は、検出部の一例である。
【００２４】
給紙ローラ２０は、給紙トレイ２に載置された原稿Ｍに当接し、摩擦力により、給紙トレイ２に載置された原稿Ｍを本体部３の内部へと引き込む。この際、原稿Ｍは、分離パッド２１の摩擦力により各原稿Ｍ毎に分離され、各原稿Ｍ毎に搬送経路２２へと送り出される。
【００２５】
読取部２４は、それぞれ別々に原稿Ｍを読み取る第１読取部３０及び第２読取部４０を含む。第１読取部３０は、搬送経路２２上の第１読取位置Ｐ１において、搬送経路２２を搬送される原稿Ｍの図１における下方向の面を読み取る。第２読取部４０は、搬送経路２２において第１読取位置Ｐ１よりも下流側の第２読取位置Ｐ２において、搬送経路２２を搬送される原稿Ｍの図１における上方向の面を読み取る。
【００２６】
なお、これ以降の説明において、原稿Ｍが給紙トレイ２に載置された際に、図１における下方向の原稿Ｍの面を原稿の表面とし、図１における上方向の原稿Ｍの面を原稿の裏面とする。
【００２７】
第１読取部３０は、光源３１と、受光部３２とがキャリッジ３５に搭載された構成とされている。光源３１は、ＬＥＤを含み、搬送経路２２上の第１読取位置Ｐ１に向けて光を出射する。光源３１は、詳細には、図３に示すように、赤色を発光する赤色ＬＥＤ３１Ｒと、緑色を発光する緑色ＬＥＤ３１Ｇと、青色を発光する青色ＬＥＤ３１Ｂの３種類のＬＥＤを含む。
【００２８】
受光部３２は、受光素子を含み、光源３１が出射し、搬送経路２２上の第１読取位置Ｐ１を搬送される原稿Ｍの表面で反射した反射光を受光する。第１読取部３０では、複数の赤色ＬＥＤ３１Ｒ、複数の緑色ＬＥＤ３１Ｇ、複数の青色ＬＥＤ３１Ｂ及び複数の受光素子の各々が、図１の紙面垂直方向の主走査方向に直線状に配列されている。第１読取部３０は、搬送方向Ｄ１に搬送される原稿Ｍを主走査方向に読み取る。なお、第２読取部４０の構造は第１読取部３０の構造と基本的に同じものであり、重複した説明を省略する。
【００２９】
Ｆセンサ２６は、給紙トレイ２に配置される。Ｆセンサ２６は、給紙トレイ２に原稿Ｍが載置された場合にオンし、給紙トレイ２に原稿Ｍが載置されていない場合にオフする。Ｒセンサ２７は、搬送経路２２上の読取部２４よりも上流側に配置される。Ｒセンサ２７は、原稿Ｍが搬送経路２２上の第１読取位置Ｐ１よりも上流側の検出位置Ｐ３を通過する場合にオンし、原稿Ｍが検出位置Ｐ３を通過していない場合にオフする。
【００３０】
図２に示すように、画像読取装置１は、ＣＰＵ１１と、ＲＯＭ１２と、ＲＡＭ１３と、制御回路１４と、電流調整回路５６、５８と、モータドライバ１５と、アナログフロントエンド（以下、ＡＦＥ）１６、１７と、画像処理回路１８と、を主要部として備える。そして、ＣＰＵ１１と、ＲＯＭ１２と、ＲＡＭ１３と、制御回路１４と、モータドライバ１５と、ＡＦＥ１６、１７と、画像処理回路１８とは、バス１９を介して接続されている。ＣＰＵ１１は、制御部の一例である。
【００３１】
ＲＯＭ１２には、画像読取装置１の動作を制御するための各種のプログラムが記憶されており、ＣＰＵ１１はＲＯＭ１２から読み出したプログラムに従って各部の制御を行う。
【００３２】
モータドライバ１５は、図示されないモータに接続されており、ＣＰＵ１１からの命令に基づいてパルス信号をモータに送信する。モータは、パルス信号の１パルスで、１ステップの回転角度分、回転駆動する。モータが１ステップ分駆動すると、搬送ローラ２３が駆動し、搬送経路２２上を原稿Ｍが規定距離の分だけ搬送される。ＣＰＵ１１は、原稿Ｍを搬送する際に、モータドライバ１５を介してパルス信号をモータに送信し、これに従って搬送ローラ２３は、そのパルス信号のパルスの数に規定距離を掛けた距離だけ原稿Ｍを搬送する。以後、モータドライバ１５がモータに送信するパルス信号のパルスの数を、ステップ数と呼ぶ。
【００３３】
制御回路１４は、ＬＥＤ電流生成部５２と発光タイミング信号生成部５４とを備え、これらの生成部５２、５４が電流調整回路５６、５８に接続されている。ＬＥＤ電流生成部５２及び発光タイミング信号生成部５４は、ＣＰＵ１１からの命令に基づいて、読取部３０、４０の光源３１、４１の光量を制御する信号を電流調整回路５６、５８に送信する。具体的には、ＬＥＤ電流生成部５２は、ＣＰＵ１１からの命令に基づいて、電流値決定信号を電流調整回路５６、５８に送信し、発光タイミング信号生成部５４は、ＣＰＵ１１からの命令に基づいて、タイミング信号を電流調整回路５６、５８に送信する。
【００３４】
第１電流調整回路５６は、第１読取部３０の光源３１に接続されており、図３に示すように、電流量調整回路６２と、切替回路６４とを有する。電流量調整回路６２と、光源３１と、切替回路６４とは、この順に電源電位と接地電位の間に直列に接続されている。
【００３５】
電流量調整回路６２は、ＬＥＤ電流生成部５２から送信される電流値決定信号に基づいて、光源３１の各ＬＥＤに流れる電流の電流値を、当該電流値決定信号に設定された電流値に調整する。これによって、ＬＥＤに流れる電流値が調整され、光源３１の点灯時に光源３１から出射される光量が調整される。
【００３６】
切替回路６４は、光源３１の各ＬＥＤに直列に接続された複数のスイッチ素子Ｑを有する。切替回路６４は、発光タイミング信号生成部５４から送信されるタイミング信号に基づいて、各スイッチ素子Ｑのオン又はオフを切り替る。これによって、ＬＥＤの点灯又は消灯状態が切り替えられ、光源３１の点灯期間が調整される。
【００３７】
つまり、制御回路１４は、電流量決定信号及びタイミング信号を用いて、光源３１の点灯期間及び点灯期間における光量を制御する。受光部３２は、制御回路１４からの制御により光源３１から発光され、搬送経路２２に沿って搬送される原稿Ｍから反射された反射光を受光し、受光量に応じたアナログ信号である読取電圧をＡＦＥ１６に出力する。
【００３８】
ＡＦＥ１６は、第１読取部３０の受光部３２に接続されており、受光部３２から出力される読取電圧をデジタル信号である階調値に変換するＡ／Ｄ変換回路を有している。ＡＦＥ１６は、ＣＰＵ１１からの命令に基づいて、受光部３２から出力される読取電圧をＡ／Ｄ変換し、変換された階調値をＲＡＭ１３に記憶する。これにより、原稿Ｍの表面が、画像読取装置１によって読み取られる。
【００３９】
画像処理回路１８は、ＲＡＭ１３に記憶された階調値に傾き補正処理等の必要な補正処理を行う。なお、第２読取部４０の光源４１における光量の調整、及びＡＦＥ１７における原稿Ｍの裏面の読み取りは、第１読取部３０の光源３１における光量の調整、及びＡＦＥ１６における原稿Ｍの裏面の読み取りと基本的に同じであり、重複した説明を省略する。
【００４０】
２．点灯制御処理
次に、図４ないし図５を参照して、読取部２４を用いて原稿Ｍを読み取る際に行われる光源の点灯制御処理について説明する。本実施形態では、読取部２４の第１読取部３０を用いて原稿Ｍの表面を読み取る場合の光源３１の点灯制御処理について説明する。
【００４１】
図４は、ＣＰＵ１１が所定のプログラムに従って実行する点灯制御処理のフローチャートであり、図５は、点灯制御処理における第１読取部３０の光源３１に流れる電流値の変化を示すタイムチャートである。ＣＰＵ１１は、Ｆセンサ２６によって給紙トレイ２に原稿Ｍが載置されたことが確認され、ユーザから原稿Ｍの表面を読み取る読取指示が入力されると、処理を開始する。ＣＰＵ１１は、処理を開始すると、まず、第１読取部３０の補正処理を実行する。
【００４２】
補正処理において、ＣＰＵ１１は、制御回路１４を用いて光源３１を原稿Ｍを読み取る際の光量である読取用電流値ＬＵ１（読取用光量の一例）で点灯させ（Ｓ２、図５時間ｔ１参照）、第１読取部３０の光源３１の調整に必要な補正データを取得する（Ｓ４）。
【００４３】
搬送経路２２上の第１読取部３０に対向する位置には、図示されない白基準板が載置されており、ＣＰＵ１１は、補正データとして、例えば、光源３１を読取用電流値ＬＵ１で点灯させ、白基準板で反射された反射光を受光した際の階調値である白基準データを取得する。
【００４４】
ＣＰＵ１１は、補正データを取得すると、光源３１を消灯して（Ｓ６、図５時間ｔ２参照）、補正処理を終了し、モータドライバ１５を用いて搬送ローラ２３の回転を開始する（Ｓ８）。原稿Ｍの搬送開始後、ＣＰＵ１１は、Ｒセンサ２７を用いて原稿Ｍが検出位置Ｐ３まで搬送されるのを待機する（Ｓ１０：ＮＯ）。
【００４５】
ＣＰＵ１１は、Ｒセンサ２７がオンし、原稿Ｍの搬送方向Ｄ１の先端が検出位置Ｐ３まで搬送されると（Ｓ１０：ＹＥＳ）、さらに原稿Ｍを第１ステップ数ＳＴ１に亘って搬送する（Ｓ１２：ＮＯ）。
【００４６】
ここで、第１ステップ数ＳＴ１は、搬送方向Ｄ１において、原稿Ｍの搬送方向Ｄ１の先端が検出位置Ｐ３に到達してから、原稿Ｍの搬送方向Ｄ１の先端が第１読取位置Ｐ１に到達するまでの原稿Ｍの移動距離に基づいて決定されている。そのため、ＣＰＵ１１が、原稿Ｍを第１ステップ数ＳＴ１に亘って搬送すると（Ｓ１２：ＹＥＳ）、原稿Ｍの搬送方向Ｄ１の先端が第１読取位置Ｐ１に到達する。
【００４７】
ＣＰＵ１１は、原稿Ｍの搬送方向Ｄ１の先端が第１読取位置Ｐ１に到達すると、読取処理を実行する。第１読取位置Ｐ１は、読取処理の開始を決定する基準位置である。読取処理において、ＣＰＵ１１は、光源３１を読取用電流値ＬＵ１で点灯させ（Ｓ１４、図５時間ｔ３参照）、原稿Ｍの読み取りを開始する（Ｓ１６）。
【００４８】
原稿Ｍの読み取り中、ＣＰＵ１１は、Ｒセンサ２７を用いて原稿Ｍの搬送方向Ｄ１の後端が検出位置Ｐ３を通過したか否かを確認する（Ｓ１８：ＮＯ）。ＣＰＵ１１は、Ｒセンサ２７がオフし、原稿Ｍが検出位置Ｐ３を通過したのを確認すると（Ｓ１８：ＹＥＳ）、さらに原稿Ｍを第２ステップ数ＳＴ２に亘って搬送する（Ｓ２０：ＮＯ）まで当該原稿Ｍの読み取りを継続する。そして、原稿Ｍを第２ステップ数ＳＴ２に亘って搬送すると（Ｓ２０：ＹＥＳ）、読取処理を終了する。
【００４９】
ここで、第２ステップ数ＳＴ２は、搬送方向Ｄ１において、原稿Ｍの搬送方向Ｄ１の後端が検出位置Ｐ３に到達してから、原稿Ｍの搬送方向Ｄ１の後端が第１読取位置Ｐ１に到達するまでの原稿Ｍの移動距離に基づいて決定されている。ＣＰＵ１１は、原稿Ｍが検出位置Ｐ３を通過した後、原稿Ｍを第２ステップ数ＳＴ２に亘って搬送するまで原稿Ｍの読み取りを継続する。
【００５０】
ＣＰＵ１１は、読取処理を終了すると、待機処理を実行する。待機処理において、ＣＰＵ１１は、原稿Ｍの読み取りを終了させ（Ｓ２２）、読取用電流値ＬＵ１よりも小さい原稿間用電流値ＬＵ２（原稿間用光量の一例）で光源３１を点灯させる（Ｓ２４、図５時間ｔ４参照）。詳細には、制御回路１４を用いて、ＬＥＤ電流生成部５２から出力される電流値決定信号を、読取用電流値ＬＵ１よりも小さい電流値に設定された電流値決定信号に変更し、発光タイミング信号生成部５４から出力されるタイミング信号を、切替回路６４のスイッチ素子Ｑをオンにするタイミング信号に維持する。
【００５１】
光源３１の電流量減少後、ＣＰＵ１１は、Ｒセンサ２７を用いて次の原稿Ｍが検出位置Ｐ３まで搬送されるのを待機する（Ｓ２４：ＮＯ）。ＣＰＵ１１は、原稿Ｍをさらに第３ステップ数ＳＴ３に亘って搬送する期間において、次の原稿Ｍが検出位置Ｐ３まで搬送されるのを待機する。
【００５２】
ここで、第３ステップ数ＳＴ３は、搬送方向Ｄ１において、原稿Ｍの搬送方向Ｄ１の先端がＦセンサ２６の位置からＲセンサ２７の検出位置Ｐ３に到着するまでの移動距離に基づいて決定されている。
【００５３】
ＣＰＵ１１は、図４に示す１枚目の原稿のように、原稿Ｍを第３ステップ数ＳＴ３に亘って搬送する前に、Ｒセンサ２７がオンし、２枚目の原稿Ｍの先端が検出位置Ｐ３まで搬送されると（Ｓ２６：ＹＥＳ、Ｓ２８：ＮＯ）、２枚目の原稿ＭについてＳ１２からの処理を繰り返す。ＣＰＵ１１は、２枚目の原稿Ｍを、原稿Ｍの搬送方向Ｄ１の先端が第１読取位置Ｐ１に到達するまで搬送すると、待機処理を終了し（図５時間ｔ５参照）、再度読取処理を実行する。
【００５４】
一方、ＣＰＵ１１は、図４に示すＮ枚目の原稿のように、原稿Ｍを第３ステップ数ＳＴ３に亘って搬送するまで、Ｒセンサ２７がオフしており、次の原稿Ｍが搬送されないと（Ｓ２６：ＮＯ、Ｓ２８：ＹＥＳ）、待機処理を終了する。ＣＰＵ１１は、モータドライバ１５を用いて原稿Ｍの搬送を停止させ（Ｓ３０）、光源３１を消灯し（Ｓ３２：図５時間ｔ６参照）、点灯制御処理を終了する。
【００５５】
３．本参考例の効果
（１）本参考例の画像読取装置１では、待機処理において、第１読取部３０の光源３１の電流値を、読取用電流値ＬＵ１よりも小さい原稿間用電流値ＬＵ２で点灯する。待機処理において光源３１の電流値を読取用電流値ＬＵ１よりも小さく設定するので、待機処理において光源３１の電流値を読取用電流値ＬＵ１に維持する場合に比べて、光源３１の温度上昇が抑制される。
【００５６】
発光素子としてＬＥＤを使用している光源３１では、温度が上昇すると、光源３１から出射される光の波長が変化し、その波長の変化により光源３１の光量が低下する事態が生じる。光量の低下した光により原稿Ｍが読み取られると、読み取られた原稿Ｍの画質が低下する。この画像読取装置１では、光源３１の温度上昇が抑制されることで、光源３１の光量が低下することを抑制することができ、読み取られた原稿Ｍの画質が低下するのを抑制することができる。
【００５７】
（２）本参考例の画像読取装置１では、待機処理において、第１読取部３０の光源３１を原稿間用電流値ＬＵ２で点灯し続ける。発光素子としてＬＥＤを使用している光源３１では、待機処理において光源３１を消灯し、待機処理後の読取処理において光源３１を再度点灯して原稿Ｍを読み取る場合に、光源３１から出射される光の波長が安定するまでの時間が長期化する事態が生じる。光の波長が安定していない光により原稿Ｍが読み取られると、読み取られた原稿Ｍの画質が低下する。この画像読取装置１では、待機処理において光源３１が点灯し続けるので、光の波長が安定するまでの時間が短縮され、読み取られた原稿Ｍの画質が低下するのを抑制することができる。
【００５８】
＜実施形態１＞
実施形態１を、図６を用いて説明する。本実施形態は、読取部２４の第１読取部３０及び第２読取部４０を用いて原稿Ｍの両面を読み取る点で参考例と異なる。以下の説明では、参考例と同一の内容については重複した記載を省略する。
【００５９】
１．点灯制御処理
本実施形態の第１読取部３０を用いた原稿Ｍの表面の読み取りは、参考例の第１読取部３０を用いた原稿Ｍの表面の読み取りと等しい。第１読取部３０を用いた原稿Ｍの表面の読み取りと平行して実行される第２読取部４０を用いた原稿Ｍの裏面の読み取りでは、補正処理が、第１読取部３０と同時に実行される。
【００６０】
原稿Ｍの裏面の読み取りでは、読取処理が、第１読取部３０と同時に開始される。つまり、ＣＰＵ１１は、原稿Ｍの表面の搬送方向Ｄ１の先端が第１読取位置Ｐ１に到達すると、第１読取部３０及び第２読取部４０において読取処理を開始する。ＣＰＵ１１は、光源３１を光源３１の読取用電流値ＬＵ１で点灯させるとともに、光源４１を光源４１の読取用電流値ＬＵ３で点灯させる（図６時間ｔ３）。
【００６１】
ＣＰＵ１１は、原稿Ｍの表面に対しては、光源３１を読取用電流値ＬＵ１で点灯させるとすぐに、第１読取部３０を用いて原稿Ｍの表面の読み取りを開始する（図６時間ｔ３）。そして、ＣＰＵ１１は、第１読取部３０を用いて、原稿Ｍの搬送方向Ｄ１の後端が第１読取位置Ｐ１に到達するまで読み取りを続け（図６時間ｔ４）、読取処理を終了する。
【００６２】
一方、ＣＰＵ１１は、原稿Ｍの裏面に対しては、光源３１を読取用電流値ＬＵ１で点灯させた後、原稿Ｍの搬送方向Ｄ１の先端が第２読取位置Ｐ２に到達すると、第２読取部４０を用いて原稿Ｍの裏面の読み取りを開始する（図６時間ｔ１３）。そして、ＣＰＵ１１は、第２読取部４０を用いて、原稿Ｍの搬送方向Ｄ１の後端が第２読取位置Ｐ２に到達するまで読み取りを続け（図６時間ｔ１４）、読取処理を終了する。そのため、原稿Ｍの裏面に対しては、実線矢印で示す読取処理の期間が、一点鎖線で示す実際に原稿Ｍの裏面を読み取っている期間よりも長くなる。
【００６３】
ＣＰＵ１１は、原稿Ｍの裏面の読み取りにおいて、読取処理後に待機処理を実行する。第２読取部４０が原稿Ｍの裏面を読み取る第２読取位置Ｐ２が、第１読取部３０が原稿Ｍの表面を読み取る第１読取位置Ｐ１よりも搬送経路２２上の下流側であることから、原稿Ｍの裏面の読み取りにおける待機処理は、原稿Ｍの表面の読み取りにおける待機処理より遅れて開始される。
【００６４】
原稿Ｍの裏面の読み取りにおける待機処理において、ＣＰＵ１１は、光源４１の読取用電流値ＬＵ３よりも小さい光源４１の原稿間用電流値ＬＵ４で光源４１を点灯させる。詳細には、制御回路１４を用いて、ＬＥＤ電流生成部５２から出力される電流値決定信号を、読取用電流値ＬＵ３における電流値よりも小さい電流値に設定された電流値決定信号に変更し、発光タイミング信号生成部５４から出力されるタイミング信号を、第２電流調整回路５８の切替回路６４のスイッチ素子Ｑをオンにするタイミング信号に維持する。
【００６５】
ＣＰＵ１１は、次の原稿Ｍが存在する場合、次の原稿Ｍの表面の搬送方向Ｄ１の先端が第１読取位置Ｐ１に到達するまで搬送すると、第１読取部３０及び第２読取部４０において待機処理を同時に終了し、読取処理を同時に再開する（図６時間ｔ５）。一方、ＣＰＵ１１は、次の原稿Ｍが存在しない場合、第１読取部３０及び第２読取部４０において待機処理を同時に終了し、点灯制御処理を終了する（図６時間ｔ６）。
【００６６】
２．本実施形態の効果
本実施形態の画像読取装置１では、読取部２４の第１読取部３０及び第２読取部４０のいずれに対しても、光源３１、４１の温度上昇により光源の光の波長が変化することを抑制することができ、待機処理後に読取処理を再開する際に、光源３１、４１の光の波長が安定するまでの時間を短縮することができる。
【００６７】
＜実施形態２＞
実施形態２を、図７を用いて説明する。本実施形態は、第１読取部３０を用いた原稿Ｍの表面の読み取りにおいて、待機処理において第１読取部３０の光源３１を消灯させる点で実施形態１と異なる。以下の説明では、参考例、および実施形態１と同一の内容については重複した記載を省略する。
【００６８】
本実施形態の画像読取装置１では、参考例に示すように、原稿Ｍの片面を読み取るモードを備えるとともに、図７に示すように、原稿Ｍの両面を読み取るモードを備える。ＣＰＵ１１は、これらのモードを切り替えて原稿Ｍを読み取る。また、本実施形態の画像読取装置１では、原稿Ｍの片面を読み取るモードにおいて、第１読取部３０を用いて原稿Ｍの表面を読み取ることが予め設定されている。そのため、本実施形態の画像読取装置１では、第１読取部３０の光源３１が使用される頻度が、第２読取部４０の光源４１が使用される頻度よりも高い。
【００６９】
１．点灯制御処理
本実施形態では、原稿Ｍの両面を読み取る際に、ＣＰＵ１１は、待機処理において光源３１を消灯させる（図７時間ｔ４）。詳細には、制御回路１４を用いて、ＬＥＤ電流生成部５２から第１電流調整回路５６に出力される電流値決定信号を変更させず、発光タイミング信号生成部５４から出力されるタイミング信号を、第１電流調整回路５６の切替回路６４のスイッチ素子Ｑをオフにするタイミング信号に変更する。
【００７０】
２．本実施形態の効果
（１）本実施形態の画像読取装置１では、原稿Ｍの両面を読み取る際にのみ用いられる第２読取部４０に対して、光源４１の温度上昇により光源の光の波長が変化することを抑制することができ、待機処理後に読取処理を再開する際に、光源４１の光の波長が安定するまでの時間を短縮することができる。
【００７１】
（２）本実施形態の画像読取装置１では、原稿Ｍの片面及び両面を読み取る際に用いられ、原稿Ｍの両面を読み取る際にのみ用いられる第２読取部４０の光源４１よりも使用頻度の高い第１読取部３０の光源３１に対して、原稿Ｍの両面を読み取る際に、待機処理において光源３１を消灯させるので、光源３１を点灯させ続ける場合に比べて光源３１の劣化の進行を抑制することができる。
【００７２】
＜実施形態３＞
実施形態３を、図８を用いて説明する。本実施形態は、第２読取部４０を用いた原稿Ｍの裏面の読み取りにおいて、待機処理において第２読取部４０の光源４１を消灯させる点で実施形態１と異なる。以下の説明では、参考例、および実施形態１と同一の内容については重複した記載を省略する。
【００７３】
１．点灯制御処理
本実施形態では、原稿Ｍの両面を読み取る際に、ＣＰＵ１１は、待機処理において光源４１を消灯させる（図８時間ｔ１４）。詳細には、制御回路１４を用いて、ＬＥＤ電流生成部５２から第２電流調整回路５８に出力される電流値決定信号を変更させず、発光タイミング信号生成部５４から出力されるタイミング信号を、第２電流調整回路５８の切替回路６４のスイッチ素子Ｑをオフにするタイミング信号に変更する。
【００７４】
ＣＰＵ１１は、次の原稿Ｍが存在する場合、次の原稿Ｍの表面の搬送方向Ｄ１の先端が第１読取位置Ｐ１に到達するまで搬送すると、第１読取部３０及び第２読取部４０において待機処理を終了し、再度読取処理を開始する（図８時間ｔ５）。つまり、第１読取位置Ｐ１は、第１読取部３０において読取処理の開始を決定する基準位置であるとともに、第２読取部４０において読取処理の開始を決定する基準位置であり、第１読取部３０の基準位置と第２読取部４０の基準位置が等しい。
【００７５】
この際、ＣＰＵ１１は、光源３１を読取用電流量ＬＵ１で点灯させ、光源４１を読取用電流量ＬＵ３で点灯を開始させる。一方、ＣＰＵ１１は、次の原稿Ｍが存在しない場合、第１読取部３０及び第２読取部４０において待機処理を終了し、点灯制御処理を終了する（図８時間ｔ６）。
【００７６】
２．本実施形態の効果
（１）本実施形態の画像読取装置１では、読取部２４の第１読取部３０に対して、光源３１の温度上昇により光源の光の波長が変化することを抑制することができ、待機処理後に読取処理を再開する際に、光源３１の光の波長が安定するまでの時間を短縮することができる。
【００７７】
（２）本実施形態の画像読取装置１では、第２読取部４０の光源４１に対して、待機処理において光源４１を消灯させる一方、第１読取部３０と同時に光源４１の読取処理を開始させ、原稿Ｍの裏面を読み取るのに先だって光源４１を点灯させる。そのため、待機処理において光源４１を消灯させたとしても、第２読取部４０では、光源４１を点灯させてから、原稿Ｍの裏面を読み取るまでの時間を利用して光源４１の光の波長を安定させることができる。
【００７８】
＜他の実施形態＞
本発明は上記記述及び図面によって説明した実施形態に限定されるものではなく、例えば次のような種々の態様も本発明の技術的範囲に含まれる。
（１）上記実施形態では、画像読取装置１を用いて説明を行ったが、本発明はこれに限られない。例えば、読取機能に加えて、プリンタ機能、コピー機能、ファクシミリ機能などのうちの少なくとも１つの機能を更に備えた複合機であっても良い。
【００７９】
（２）上記実施形態では、第１読取部３０及び第２読取部４０の基準位置が第１読取位置Ｐ１である例を用いて説明を行ったが、本発明はこれに限らない。第１読取部３０の基準位置は、搬送経路２２上の検出位置Ｐ３から第１読取位置Ｐ１までの間の位置に設定されていればよく、第２読取部４０の基準位置は、搬送経路２２上の検出位置Ｐ３から第２読取位置Ｐ２までの間の位置に設定されていればよい。
【００８０】
（３）また、第１読取部３０及び第２読取部４０の基準位置は、必ずしも等しい位置に設定されている必要はなく、検出位置Ｐ３から各読取位置Ｐ１、Ｐ２の間に設定されていれば、各々異なる位置に設定されていてもよい。
【００８１】
（４）第１読取部の読取用電流量ＬＵ１と第２読取部の読取用電流量ＬＵ３は、等しい値に設定されていてもよければ、異なる値に設定されていてもよい。第１読取部の原稿間用電流量ＬＵ２と第２読取部の原稿間用電流量ＬＵ４についても同様である。
【００８２】
（５）原稿間用電流量ＬＵ２（ＬＵ４）は、読取用電流量ＬＵ１（ＬＵ３）よりも小さい電流量であれば、特に限定されるものでなく、原稿間用電流量ＬＵ２が読取用電流量ＬＵ１の略半分の値に設定されていても良い。
【００８３】
（６）上記実施形態では、光量の一例として、光源に流れる電流値を挙げて説明を行ったが、光量としては、例えば、「光源に流れる電流値×その電流値を光源に流した時間」といった値としてもよい。
【符号の説明】
【００８４】
１：画像読取装置、１４：制御回路、２４：読取部、２７：Ｒセンサ、３０：第１読取部、３１：第１読取部の光源、４０：第２読取部、４１：第２読取部の光源、５２：ＬＥＤ電流生成部、５４：発光タイミング信号生成部、５６：第１電流調整回路、５８：第２電流調整回路、６２：電流量調整回路、６４：切替回路、Ｄ１：搬送方向、ＬＵ１、ＬＵ３：読取用電流量、ＬＵ２、ＬＵ４：原稿間用電流量、Ｍ：原稿、Ｐ１：第１読取位置、Ｐ２：第２読取位置、Ｐ３：検出位置、Ｗ：間隔
【図１】
0005724929.tif 000002
【図２】
0005724929.tif 000003
【図３】
0005724929.tif 000004
【図４】
0005724929.tif 000005
【図５】
0005724929.tif 000006
【図６】
0005724929.tif 000007
【図７】
0005724929.tif 000008
【図８】
0005724929.tif 000009